(57)【要約】［課題］基地局と移動体通信端末との間で既に行われている通信を中継することができる無線中継システム、無線中継方法、無線中継プログラム、および無線中継局を提供する。［解決手段］通信手段２１が、移動体通信端末３０と基地局１０とが互いに送受信している信号を受信する。中継手段２３が、移動体通信端末３０が送信した信号を受信して基地局１０に送信し、基地局１０が移動体通信端末３０に送信した信号を受信して移動体通信端末３０に送信する中継動作を行う。
2015198575.tif 000002
【特許請求の範囲】
【請求項１】
移動体通信端末、
前記移動体通信端末と通信を行う基地局、および
前記移動体通信端末と前記基地局とが互いに送受信している信号を受信する通信手段と、
前記移動体通信端末が送信した信号を受信して前記基地局に送信し、前記基地局が前記移動体通信端末に送信した信号を受信して前記移動体通信端末に送信する中継動作を行う中継手段とを含む無線中継局を備えた
ことを特徴とする無線中継システム。
【請求項２】
前記通信手段が前記移動体通信端末から受信した信号の電界強度を測定する測定手段を含み、
前記中継手段は、前記測定手段による電界強度の測定結果の値が所定の閾値を超えていた場合に、前記中継動作を行う
請求項１に記載の無線中継システム。
【請求項３】
前記中継手段は、前記中継動作において、受信した信号を増幅して送信する
請求項１または請求項２に記載の無線中継システム。
【請求項４】
前記移動体通信端末は、受信した信号の電界強度に応じて送信出力を低減する
請求項１から請求項３のうちいずれかに記載の無線中継システム。
【請求項５】
前記基地局は、受信した信号の電界強度に応じて送信出力を低減する
請求項１から請求項４のうちいずれかに記載の無線中継システム。
【請求項６】
移動体通信端末と基地局とが互いに送受信している信号を受信し、
前記移動体通信端末が送信した信号を受信して前記基地局に送信し、前記基地局が前記移動体通信端末に送信した信号を受信して前記移動体通信端末に送信する中継動作を行う
ことを特徴とする無線中継方法。
【請求項７】
コンピュータに、
移動体通信端末と基地局とが互いに送受信している信号を受信する通信処理と、
前記通信処理で受信した前記信号から前記移動体通信端末を識別する識別情報を抽出する識別情報抽出処理と、
前記識別情報抽出処理で抽出した前記識別情報によって示される前記移動体通信端末が送信した信号を受信して前記基地局に送信し、前記基地局が前記移動体通信端末に送信した信号を受信して前記移動体通信端末に送信する中継動作を行う中継処理とを実行させる
ための無線中継プログラムが記憶された記憶媒体。
【請求項８】
移動体通信端末と基地局とが互いに送受信している信号を受信する通信手段と、
前記移動体通信端末が送信した信号を受信して前記基地局に送信し、前記基地局が前記移動体通信端末に送信した信号を受信して前記移動体通信端末に送信する中継動作を行う中継手段とを備えた
ことを特徴とする無線中継局。
【発明の詳細な説明】
【技術分野】
【０００１】
本発明は、移動体通信を中継する無線中継システム、無線中継方法、無線中継プログラムが記憶された記憶媒体、および無線中継局に関する。
【背景技術】
【０００２】
今後普及することが予定されているＬＴＥ−Ａ（Ｌｏｎｇ  Ｔｅｒｍ  Ｅｖｏｌｕｔｉｏｎ−Ａｄｖａｎｃｅｄ）等の移動体通信サービスにおいて、サービスエリアの拡大や、サービスエリア内でありながら基地局の電波が届かない不感エリアの解消が求められている。【０００３】
ところで、移動体通信端末と基地局とが互いに通信可能なサービスエリア内であっても、フェージング等の影響で通信品質が低い場所がある。そのような場所の通信品質を向上させるためにも、基地局と移動体通信端末との間の通信を中継する無線中継局（ＲＮ：Ｒｅｌａｙ  Ｎｏｄｅ）の導入が検討されている。【０００４】
特許文献１には、所定の位置に設置された無線中継局と移動可能な無線中継局とをそれぞれ制御するシステムが記載されている。
【先行技術文献】
【特許文献】
【０００５】
【特許文献１】国際公開第２０１１／１３５７６４号
【発明の概要】
【発明が解決しようとする課題】
【０００６】
特許文献１に記載されているシステムは、無線中継局が起動してから基地局と移動体通信端末との間で新たに開始される通信を中継するが、既に行われている通信の中継をすることはできない。ここで、屋内施設等の通信品質が低い場所を会場にイベントが開催される場合がある。そして、例えば、イベントが開催される場合には、イベントの開始時刻の相当前から参加者が会場に集まる実情がある。そのような実情を考慮すると、例えば、イベントの開始時刻に応じた無線中継局の起動前から行われている通信の中継も可能であることが好ましい。【０００７】
そこで、本発明は、基地局と移動体通信端末との間で既に行われている通信を中継することができる無線中継システム、無線中継方法、無線中継プログラムが記憶された記憶媒体、および無線中継局を提供することを目的とする。
【課題を解決するための手段】
【０００８】
本発明による無線中継システムは、移動体通信端末、前記移動体通信端末と通信を行う基地局、および前記移動体通信端末と前記基地局とが互いに送受信している信号を受信する通信手段と、前記移動体通信端末が送信した信号を受信して前記基地局に送信し、前記基地局が前記移動体通信端末に送信した信号を受信して前記移動体通信端末に送信する中継動作を行う中継手段とを含む無線中継局を備えたことを特徴とする。【０００９】
本発明による無線中継方法は、移動体通信端末と基地局とが互いに送受信している信号を受信する通信ステップと、前記移動体通信端末が送信した信号を受信して前記基地局に送信し、前記基地局が前記移動体通信端末に送信した信号を受信して前記移動体通信端末に送信する中継動作を行う中継ステップとを含むことを特徴とする。【００１０】
本発明による無線中継プログラムが記憶された記憶媒体は、コンピュータに、移動体通信端末と基地局とが互いに送受信している信号を受信する通信処理と、前記通信処理で受信した前記信号から前記移動体通信端末を識別する識別情報を抽出する識別情報抽出処理と、前記識別情報抽出処理で抽出した前記識別情報によって示される前記移動体通信端末が送信した信号を受信して前記基地局に送信し、前記基地局が前記移動体通信端末に送信した信号を受信して前記移動体通信端末に送信する中継動作を行う中継処理とを実行させることを特徴とする無線中継プログラムが記憶されている。【００１１】
本発明による無線中継局は、移動体通信端末と基地局とが互いに送受信している信号を受信する通信手段と、前記移動体通信端末が送信した信号を受信して前記基地局に送信し、前記基地局が前記移動体通信端末に送信した信号を受信して前記移動体通信端末に送信する中継動作を行う中継手段とを備えたことを特徴とする。
【発明の効果】
【００１２】
本発明によれば、移動無線中継局は、基地局と移動体通信端末との間で既に通信が行われている場合であっても、基地局と移動体通信端末との間の通信を中継することができる。
【図面の簡単な説明】
【００１３】
【図１】本発明の第１の実施形態の無線中継システムの構成例を示すブロック図である。
【図２】本発明の第１の実施形態の無線中継システムの動作を示すシーケンス図である。
【図３】本発明の第２の実施形態の無線中継システムの動作を示すシーケンス図である。
【図４】本発明の第３の実施形態の無線中継システムの構成例を示すブロック図である。
【発明を実施するための形態】
【００１４】
実施形態１．
本発明の第１の実施形態の無線中継システムについて、図面を参照して説明する。図１は、本発明の第１の実施形態の無線中継システムの構成例を示すブロック図である。図１に示すように、本発明の第１の実施形態の無線中継システムは、基地局１００、移動無線中継局２００および移動体通信端末３００を含む。
【００１５】
移動体通信端末３００は、例えば、携帯電話機である。そして、基地局１００は、例えば、携帯電話通信サービスにおける基地局である。
【００１６】
基地局１００は、通信ネットワーク４００に接続されている。移動無線中継局２００は、基地局１００と移動体通信端末３００との間の通信を中継する機能を有する。また、移動無線中継局２００は、移動する機能を有する。そして、移動体通信端末３００は、移動無線中継局２００を介して、または直接に基地局１００と情報を送受信する。
【００１７】
図１に示すように、基地局１００は、通信部１１０および制御部１２０を含む。基地局１００の通信部１１０は、制御部１２０の制御に従って、移動無線中継局２００を介して、または直接に移動体通信端末３００と情報を送受信する。そして、通信部１１０は、移動体通信端末３００と通信ネットワーク４００に接続されたサーバ等（図示せず）との間の通信を中継する。なお、制御部１２０は、例えば、プログラム制御に従って処理を実行するＣＰＵ（Ｃｅｎｔｒａｌ  Ｐｒｏｃｅｓｓｉｎｇ  Ｕｎｉｔ）である。また、出力低減手段は、通信部１１０および制御部１２０によって実現される。
【００１８】
図１に示すように、移動無線中継局２００は、通信部２１０、制御部２２０、および測定部２３０を含む。通信部２１０は、制御部２２０の制御に従って、基地局１００および移動体通信端末３００と情報を送受信する。そして、通信部２１０は、基地局１００と移動体通信端末３００との間の通信を中継する。なお、制御部２２０は、例えば、プログラム制御に従って処理を実行するＣＰＵである。測定部２３０は、制御部２２０の制御に従って、移動体通信端末３００が発した信号の受信電界強度を測定する。
【００１９】
図１に示すように、移動体通信端末３００は、通信部３１０および制御部３２０を含む。通信部３１０は、制御部３２０の制御に従って、移動無線中継局２００を介して、または直接に基地局１００と情報を送受信する。そして、通信部３１０は、通信ネットワーク４００に接続されたサーバ等（図示せず）と通信を行う。なお、制御部３２０は、例えば、プログラム制御に従って処理を実行するＣＰＵである。また、出力低減手段は、通信部３１０および制御部３２０によって実現される。
【００２０】
次に、本発明の第１の実施形態の無線中継システムの動作について説明する。図２は、本発明の第１の実施形態の無線中継システムの動作を示すシーケンス図である。
【００２１】
まず、基地局１００と移動体通信端末３００とが互いに直接に情報を送受信している場合に（ステップＳ１０１）、移動無線中継局２００が基地局１００および移動体通信端末３００と通信可能な位置に移動して、起動する（ステップＳ１０２）。なお、移動無線中継局２００による中継位置は、例えば、基地局１００から発せられた信号の受信電界強度と移動体通信端末３００から発せられた信号の受信電界強度とを適宜測定し、それら測定結果に基づいて決定される。具体的には、例えば、基地局１００から発せられた信号の受信電界強度と移動体通信端末３００から発せられた信号の受信電界強度との差が所定値以内である場所である。また、ステップＳ１０１における基地局１００と移動体通信端末３００との間の接続状態は、待ち受け状態（例えば、ＲＲＣ（Ｒａｄｉｏ  Ｒｅｓｏｕｒｃｅ  Ｃｏｎｔｒｏｌ）  ｉｄｌｅ状態）であってもよいし、通信中状態（例えば、ＲＲＣ  Ｃｏｎｎｅｃｔｅｄ状態）であってもよい。
【００２２】
移動無線中継局２００の制御部２２０は、通信部２１０が移動体通信端末３００から発せられた信号を受信すると、測定部２３０に、当該信号の受信電界強度を測定させる（ステップＳ１０３）。
【００２３】
移動無線中継局２００の制御部２２０は、ステップＳ１０３の処理で測定部２３０が測定した受信電界強度の値が所定の閾値を超えていた場合に（ステップＳ１０４のＹ）、通信部２１０に以下の処理を実行させる。すなわち、制御部２２０は、通信部２１０に、受信した信号を復調させて、移動体通信端末３００を識別する端末識別情報（例えば、ＲＮＴＩ（Ｒａｄｉｏ  Ｎｅｔｗｏｒｋ  Ｔｅｍｐｏｒａｒｙ  Ｉｄｅｎｔｉｔｙ））を抽出する（ステップＳ１０５）。そして、制御部２２０は、通信部２１０に、抽出した端末識別情報を基地局１００に送信させる（ステップＳ１０６）。
【００２４】
なお、閾値は、移動無線中継局２００の制御部２２０に予め設定されていてもよいし、基地局１００によって設定されてもよい。
【００２５】
基地局１００の制御部１２０は、ステップＳ１０６の処理で送信された端末識別情報を通信部１１０が受信すると、以下の処理を行う。すなわち、制御部１２０は、通信部１１０に、当該端末識別情報によって示される移動体通信端末３００との間の通信の中継を指示する中継指示情報を移動無線中継局２００へ送信させる（ステップＳ１０７）。
【００２６】
また、基地局１００の制御部１２０は、通信部１１０に、移動体通信端末３００との間の通信に用いる信号の送信出力をステップＳ１０１における通信時の送信出力よりも低減させる（ステップＳ１０８）。具体的には、制御部１２０は、ステップＳ１０８の処理で、通信部１１０に、例えば、移動無線中継局２００との通信が可能な範囲内で、より低い送信出力に低減させる。
【００２７】
移動無線中継局２００の制御部２２０は、ステップＳ１０７の処理で送信された中継指示情報を通信部２１０が受信すると、基地局１００と移動体通信端末３００との間の通信の中継を開始する（ステップＳ１０９）。具体的には、移動無線中継局２００は、通信部２１０が受信した信号を復調して抽出した端末識別情報によって移動体通信端末３００が示されている場合に、受信した当該信号を所定の出力に増幅して送信して中継する。なお、移動無線中継局２００による中継は、例えば、携帯電話通信サービスにおけるハンドオーバに相当する処理が行われて開始される。
【００２８】
また、基地局１００の制御部１２０は、通信部１１０に、移動体通信端末３００へ、信号の送信出力を低減させる出力低減指示を送信させる（ステップＳ１１０）。具体的には、制御部１２０は、ステップＳ１１０の処理で、通信部１１０に、例えば、移動無線中継局２００との通信が可能な範囲内で、より低い送信出力への低減を指示する出力低減指示を送信させる。
移動無線中継局２００の通信部２１０は、ステップＳ１１０の処理で基地局１００の通信部１１０が送信した出力低減指示を中継する（ステップＳ１１１）。
【００２９】
移動体通信端末３００の制御部３２０は、ステップＳ１１０の処理で送信され、ステップＳ１１１の処理で中継された出力低減指示を通信部３１０が受信すると、通信部３１０に、以降の通信における信号の送信出力を従前よりも低減させる（ステップＳ１１２）。
【００３０】
そして、基地局１００と移動体通信端末３００との間の通信は、移動無線中継局２００によって中継される（ステップＳ１１３）。
【００３１】
本実施形態によれば、移動無線中継局２００が、移動体通信端末３００が送信した信号から識別情報を抽出する。そして、移動無線中継局２００は、抽出した識別情報に基づいて、基地局１００と移動体通信端末３００との間の通信の中継を開始する。したがって、移動無線中継局２００は、基地局１００と移動体通信端末３００との間で既に通信が行われている場合であっても、基地局１００と移動体通信端末３００との間の通信を中継することができる。
【００３２】
また、本実施形態によれば、移動体無線中継局２００による中継開始後に基地局１００および移動体通信端末３００は送信出力を低減する。したがって、基地局１００による電波干渉および移動体通信端末３００による電波干渉を良好に抑制することができる。また、基地局１００および移動体通信端末３００における消費電力を良好に低減させることができる。ここで、基地局１００および移動体通信端末３００は、通信相手との間の距離の２乗に比例した送信出力で信号を出力する。そして、基地局１００と移動無線中継局２００との間の距離をｘとし、移動無線中継局２００と移動体通信端末３００との間の距離をｙとする。
そうすると、基地局１００と移動体通信端末３００とが直接に通信を行う場合には、基地局１００と移動体通信端末３００との間の距離（ｘ＋ｙ）の２乗（（ｘ＋ｙ）２＝ｘ２＋２ｘｙ＋ｙ２）に比例した送信出力で互いに信号が出力される。それに対して、基地局１００と移動体通信端末３００との間の通信を移動無線中継局２００が中継すれば、基地局１００と移動無線中継局２００との間の距離（ｘ）の２乗（ｘ２）と、移動無線中継局２００と移動体通信端末３００との間の距離（ｙ）の２乗（ｙ２）との和（ｘ２＋ｙ２）に比例した送信電力で互いに信号が出力される。
したがって、移動無線中継局２００が基地局１００と移動体通信端末３００との間の通信を中継する場合には、基地局１００と移動体通信端末３００との間で直接に通信が行われる場合よりも消費電力を良好に低減させることができる。
【００３３】
なお、移動無線中継局２００におけるステップＳ１０９の処理は、ステップＳ１０６の処理で基地局１００に送信した端末識別情報の受信応答を受信してから行うように構成されていてもよい。また、基地局１００におけるステップＳ１０８の処理は、ステップＳ１０７の処理で移動無線中継局２００に送信した中継指示情報の受信応答を受信してから行うように構成されていてもよい。基地局１００におけるステップＳ１１３の処理は、ステップＳ１１０の処理で移動無線中継局２００に送信した出力低減指示の受信応答を受信してから行うように構成されていてもよい。また、移動無線中継局２００におけるステップＳ１１３の処理は、ステップＳ１１１の処理で移動体通信端末３００に送信した出力低減指示の受信応答を受信してから行うように構成されていてもよい。受信応答を受信してから後の処理を行うように構成された場合には、各処理を確実に進捗させ、基地局１００と移動体通信端末３００との間の移動無線中継局２００を介した通信をより確実に開始させることができる。
【００３４】
なお、移動無線中継局２００は、通信部２１０、制御部２２０、および測定部２３０が、例えば、飛行船等の飛翔体や、車両、公共交通機関、他の移動体通信端末等に設けられて実現される。それらが飛行船等の飛翔体に設けられた場合には、例えば、イベント会場の上空に留まって基地局１００と移動体通信端末３００との間の通信を中継することにより、通信品質を改善することができる。また、それらが車両に設けられた場合には、例えば、イベント会場等の様々な場所に移動して、基地局１００と移動体通信端末３００との間の通信を中継することにより、通信品質を改善することができる。それらが公共交通機関に設けられた場合には、基地局１００と乗客の移動体通信端末３００との間の通信を中継することにより、通信品質を改善することができる。なお、移動無線中継局２００が移動して他の基地局にハンドオーバするための処理は、移動体通信端末３００と当該基地局等とによって行われる。
【００３５】
また、移動無線中継局２００は、必ずしも移動可能である必要はなく、イベント会場等の近隣に固定的に設置され、イベント開催に応じて運用されて移動体通信端末３００と基地局１００との間の通信を中継するように構成されていてもよい。
【００３６】
なお、移動無線中継局２００の通信部２１０は、ステップＳ１０６の処理で、ステップＳ１０３における測定部２３０による電界強度の測定結果を示す測定結果情報を含む端末識別情報を基地局１００に送信してもよい。そして、基地局１００の制御部１２０は、測定結果情報によって示される電界強度の値に基づいて、ステップＳ１０８の処理で送信出力を低減させる割合を決定してもよい。また、基地局１００の制御部１２０は、ステップＳ１１０の処理で送信する出力低減指示において、測定結果情報によって示される電界強度の値に応じた割合で送信出力を低減させるように移動体通信端末３００に指示してもよい。
【００３７】
実施形態２．
次に本発明の第２の実施形態の無線中継システムについて説明する。第１の実施形態の無線中継システムでは、移動無線中継局２００が、移動体通信端末３００が発した信号から端末識別情報を抽出し、当該端末識別情報を含む信号の中継を行う。それに対して、本実施形態の無線中継システムでは、移動無線中継局２００が、基地局１００と移動体通信端末３００との間の通信の中継を迅速に開始することを可能にする。
【００３８】
図３は、本発明の第２の実施形態の無線中継システムの動作を示すシーケンス図である。本実施形態における基地局１００、移動無線中継局２００、および移動体通信端末３００のステップＳ２０１〜Ｓ２０４の処理は、図２に示すステップＳ１０１〜Ｓ１０４の処理とそれぞれ同様なため、説明を省略する。
【００３９】
移動無線中継局２００は、ステップＳ２０３の処理で測定部２３０が測定した受信電界強度の値が所定の閾値を超えていた場合に（ステップＳ２０４のＹ）、基地局１００と移動体通信端末３００との間の通信の中継を開始する（ステップＳ２０５）。具体的には、移動無線中継局２００は、通信部２１０が受信した信号を所定の出力に増幅して送信して中継する。
【００４０】
そして、基地局１００と移動体通信端末３００とが移動無線中継局２００を介して通信を行うと（ステップＳ２０６）、移動体通信端末３００によって発せられた信号は移動無線中継局２００によって増幅されるので、基地局１００における受信電界強度の値が大きくなる。すると、基地局１００の制御部１２０は、通信部１１０に、受信電界強度の値に応じて、より低い送信出力に低減させる（ステップＳ２０７）。
【００４１】
また、基地局１００と移動体通信端末３００とが移動無線中継局２００を介して通信を行うと（ステップＳ２０６）、基地局１００によって発せられた信号は移動無線中継局２００によって増幅されるので、移動体通信端末３００における受信電界強度の値が大きくなる。すると、移動体通信端末３００の制御部３２０は、通信部３１０に、受信電界強度の値に応じて、より低い送信出力に低減させる（ステップＳ２０８）。
【００４２】
本実施形態によれば、第１の実施形態における効果と同様な効果を奏することができる。また、本実施形態によれば、移動無線基地局２００が端末識別情報の送受信等を行うことなく通信中継を開始するので、通信中継がより迅速に開始される。
【００４３】
実施形態３．
次に、本発明の第３の実施形態の無線中継システムについて、図面を参照して説明する。図４は、本発明の第３の実施形態の無線中継システムの構成例を示すブロック図である。図４に示すように、本発明の第３の実施形態の無線中継システムは、基地局１０、無線中継局２０、および移動体通信端末３０を含む。
【００４４】
無線中継局２０は、通信手段２１および中継手段２３を含む。
【００４５】
通信手段２１（図１に示す通信部２１０に相当）は、移動体通信端末３０と基地局１０とが互いに送受信している信号を受信する。
【００４６】
中継手段２３（図１に示す通信部２１０および制御部２２０に相当）は、移動体通信端末３０が送信した信号を受信して基地局１０に送信し、基地局１０が移動体通信端末３０に送信した信号を受信して移動体通信端末３０に送信する中継動作を行う。
【００４７】
本実施形態によれば、移動無線中継局２０は、基地局１０と移動体通信端末３０との間で既に通信が行われている場合であっても、基地局１０と移動体通信端末３０との間の通信を中継することができる。
上記の実施形態の一部または全部は、以下の付記のようにも記載されうるが、以下には限られない。
【００４８】
（付記１）
移動体通信端末と基地局とが互いに送受信している信号を受信する通信手段と、
前記通信手段が受信した前記信号から前記移動体通信端末を識別する識別情報を抽出する識別情報抽出手段と、
前記識別情報抽出手段が抽出した前記識別情報によって示される前記移動体通信端末が送信した信号を受信して前記基地局に送信し、前記基地局が前記移動体通信端末に送信した信号を受信して前記移動体通信端末に送信する中継動作を行う中継手段とを備えた
ことを特徴とする無線中継局。
【００４９】
（付記２）
前記通信手段が前記移動体通信端末から受信した信号の電界強度を測定する測定手段を含み、
前記中継手段は、前記測定手段による電界強度の測定結果の値が所定の閾値を超えていた場合に、前記中継動作を行う
付記１に記載の無線中継局。
【００５０】
（付記３）
前記中継手段は、前記中継動作において、受信した信号を増幅して送信する
付記１または付記２に記載の無線中継局。
【００５１】
（付記４）
前記中継手段は、前記基地局の指示に応じて、前記移動体通信端末に、送信出力の低減を指示する
付記１から付記３のうちいずれかに記載の無線中継局。
【００５２】
（付記５）
前記中継手段は、前記中継動作を開始してから、前記移動体通信端末に、送信出力の低減を指示する
付記１から付記４のうちいずれかに記載の無線中継局。
【００５３】
（付記６）
移動体通信端末と基地局とが互いに送受信している信号を受信する通信ステップと、
前記通信ステップで受信した前記信号から前記移動体通信端末を識別する識別情報を抽出する識別情報抽出ステップと、
前記識別情報抽出ステップで抽出した前記識別情報によって示される前記移動体通信端末が送信した信号を受信して前記基地局に送信し、前記基地局が前記移動体通信端末に送信した信号を受信して前記移動体通信端末に送信する中継動作を行う中継ステップとを含む
ことを特徴とする無線中継方法。
【００５４】
（付記７）
コンピュータに、
移動体通信端末と基地局とが互いに送受信している信号を受信する通信処理と、
前記通信処理で受信した前記信号から前記移動体通信端末を識別する識別情報を抽出する識別情報抽出処理と、
前記識別情報抽出処理で抽出した前記識別情報によって示される前記移動体通信端末が送信した信号を受信して前記基地局に送信し、前記基地局が前記移動体通信端末に送信した信号を受信して前記移動体通信端末に送信する中継動作を行う中継処理とを実行させる
ための無線中継プログラム。
【００５５】
（付記８）
移動体通信端末、
前記移動体通信端末と通信を行う基地局、および
前記移動体通信端末と前記基地局とが互いに送受信している信号を受信する通信手段と、
前記通信手段が受信した前記信号から前記移動体通信端末を識別する識別情報を抽出する識別情報抽出手段と、
前記識別情報抽出手段が抽出した前記識別情報によって示される前記移動体通信端末が送信した信号を受信して前記基地局に送信し、前記基地局が前記移動体通信端末に送信した信号を受信して前記移動体通信端末に送信する中継動作を行う中継手段とを含む無線中継局を備えた
ことを特徴とする無線中継システム。
【００５６】
（付記９）
自移動体通信端末と基地局とが互いに送受信している信号を受信する通信手段と、前記通信手段が受信した前記信号から前記移動体通信端末を識別する識別情報を抽出する識別情報抽出手段と、前記識別情報抽出手段が抽出した前記識別情報によって示される前記移動体通信端末が送信した信号を受信して前記基地局に送信し、前記基地局が前記移動体通信端末に送信した信号を受信して前記移動体通信端末に送信する中継動作を行う中継手段とを含む無線中継局による指示に従って、信号の送信出力を低減する出力低減手段を備えた
ことを特徴とする移動体通信端末。
【００５７】
（付記１０）
移動体通信端末と自基地局とが互いに送受信している信号を受信する通信手段と、前記通信手段が受信した前記信号から前記移動体通信端末を識別する識別情報を抽出する識別情報抽出手段と、前記識別情報抽出手段が抽出した前記識別情報によって示される前記移動体通信端末が送信した信号を受信して前記基地局に送信し、前記基地局が前記移動体通信端末に送信した信号を受信して前記移動体通信端末に送信する中継動作を行う中継手段とを含む無線中継局によって前記中継動作が開始される場合に、信号の送信出力を低減する出力低減手段を備えた
ことを特徴とする基地局。
【００５８】
以上、実施形態を参照して本願発明を説明したが、本願発明は上記実施形態に限定されるものではない。本願発明の構成や詳細には、本願発明のスコープ内で当業者が理解し得る様々な変更をすることができる。
【００５９】
この出願は、２０１４年６月２５日に出願された日本出願特願２０１４−１３０２２２を基礎とする優先権を主張し、その開示の全てをここに取り込む。
【符号の説明】
【００６０】
１０、１００    基地局
２０    無線中継局
２１    通信手段
２３    中継手段
３０、３００    移動体通信端末
１１０、２１０、３１０    通信部
１２０、２２０、３２０    制御部
２００    移動無線中継局
２３０    測定部
４００    通信ネットワーク
【図１】
2015198575.tif 000003
【図２】
2015198575.tif 000004
【図３】
2015198575.tif 000005
【図４】
2015198575.tif 000006
【手続補正書】
【提出日】平成28年12月14日(2016.12.14)
【手続補正２】
【補正対象書類名】特許請求の範囲
【補正対象項目名】請求項７
【補正方法】変更
【補正の内容】
【請求項７】
コンピュータに、
移動体通信端末と基地局とが互いに送受信している信号を受信する通信処理と、
前記通信処理で受信した前記信号から前記移動体通信端末を識別する識別情報を抽出する識別情報抽出処理と、
前記識別情報抽出処理で抽出した前記識別情報によって示される前記移動体通信端末が送信した信号を受信して前記基地局に送信し、前記基地局が前記移動体通信端末に送信した信号を受信して前記移動体通信端末に送信する中継動作を行う中継処理とを実行させる
ための無線中継プログラム。
【国際調査報告】
2015198575.tif 000007
2015198575.tif 000008
2015198575.tif 000009